(57)【要約】【課題】強力な符号化技術を用いることなく、伝送状況に応じて良好な誤り率特性を維持することができる変復調システムを提供すること。【解決手段】変復調システム５０は、変調装置３０及び復調装置４０を備える。変調装置３０は、ハミング距離の小さいもの同士が異なるグループに属するようにビット列をグループ分けしたときの各グループを識別する識別子を、変調すべきビット列に付加して変調する。復調装置４０は、識別子が付加されたビット列を復調して、該識別子に基づいて伝送誤りの有無を判定する。【選択図】図１
2010057077.tif 000002
【特許請求の範囲】
【請求項１】
ハミング距離の小さいもの同士が異なるグループに属するようにビット列をグループ分けしたときの各グループを識別する識別子を、変調すべきビット列に付加して変調することを特徴とする変調装置。
【請求項２】
前記識別子を伝送状況が悪化したときに付加することを特徴とする、請求項１に記載の変調装置。
【請求項３】
前記伝送状況を対向局から受信した信号に基づいて推定することを特徴とする、請求項２に記載の変調装置。
【請求項４】
記憶装置を備え、前記ビット列と前記識別子との対応関係を該記憶装置に保持することを特徴とする、請求項１ないし３のいずれか１項に記載の変調装置。
【請求項５】
前記識別子を付加したことを示すフラグ処理を施すことを特徴とする、請求項１ないし４のいずれか１項に記載の変調装置。
【請求項６】
前記ビット列及び前記識別子を別個にマッピングすることを特徴とする、請求項１ないし５のいずれか１項に記載の変調装置。
【請求項７】
ハミング距離の小さいもの同士が異なるグループに属するようにビット列をグループ分けしたときの各グループを識別する識別子が付加されたビット列を復調して、該識別子に基づいて伝送誤りの有無を判定することを特徴とする復調装置。
【請求項８】
記憶装置を備え、前記ビット列と前記識別子との対応関係を該記憶装置に保持することを特徴とする、請求項７に記載の復調装置。
【請求項９】
前記ビット列及び前記識別子を別個にデマッピングすることを特徴とする、請求項７又は８に記載の復調装置。
【請求項１０】
請求項１ないし６のいずれか１項に記載の変調装置と、請求項７ないし９のいずれか１項に記載の復調装置と、を備えることを特徴とする変復調システム。
【請求項１１】
ハミング距離の小さいもの同士が異なるグループに属するようにビット列をグループ分けしたときの各グループを識別する識別子を、変調すべきビット列に付加して変調する工程を含むことを特徴とする変調方法。
【請求項１２】
前記識別子を伝送状況が悪化したときに付加することを特徴とする、請求項１１に記載の変調方法。
【請求項１３】
前記伝送状況を対向局から受信した信号に基づいて推定する工程を含むことを特徴とする、請求項１２に記載の変調方法。
【請求項１４】
前記識別子を付加したことを示すフラグ処理を施す工程を含むことを特徴とする、請求項１１ないし１３のいずれか１項に記載の変調方法。
【請求項１５】
前記ビット列及び前記識別子を別個にマッピングする工程を含むことを特徴とする、請求項１１ないし１４のいずれか１項に記載の変調方法。
【請求項１６】
ハミング距離の小さいもの同士が異なるグループに属するようにビット列をグループ分けしたときの各グループを識別する識別子が付加されたビット列を復調する工程と、
前記識別子に基づいて伝送誤りの有無を判定する工程と、を含むことを特徴とする復調方法。
【請求項１７】
前記ビット列及び前記識別子を別個にデマッピングする工程を含むことを特徴とする、請求項１６に記載の復調方法。
【請求項１８】
請求項１１ないし１５のいずれか１項に記載の変調方法における各工程と、請求項１６又は１７に記載の復調方法における各工程と、を含むことを特徴とする変復調方法。
【発明の詳細な説明】
【技術分野】
【０００１】
本発明は、変調装置、復調装置及び変復調システム、並びに、変調方法、復調方法及び変復調方法に関し、特に、安定した通信品質を保つための変調装置、復調装置及び変復調システム、並びに、変調方法、復調方法及び変復調方法に関する。
【背景技術】
【０００２】
変調時においてフィードバック系を構成して変調多値数を制御する場合には、従前は、伝搬路変動に追従できず、特性が劣化するという問題があった。
【０００３】
特許文献１において、この問題を解決する変復調方式が記載されている。特許文献１によると、送信側通信装置における変調多値数、及び、受信側通信装置における復調多値数は、伝送状況に応じてそれぞれ独立に判定され、送信側及び受信側で異なる多値数の組み合わせとなった場合には、尤度制御を行うことにより通信が行われる。
【０００４】
また、受信側通信装置は、多値変調の下位ビットに関する尤度情報を制御することにより、送信側で用いた変調多値数と復調多値数とが異なる場合においても動作することができる。さらに、送信側通信装置と受信側通信装置がそれぞれ独立に変調多値数及び復調多値数を決定することにより、瞬時の伝搬路変動にも追従することができ、スループットの向上も見込まれる。
【０００５】
【特許文献１】特開２００５−０８６５９３号公報
【発明の開示】
【発明が解決しようとする課題】
【０００６】
以下の分析は、本発明者によってなされたものである。特許文献１に記載の変調方式においては、変調多値数よりも復調多値数が小さい場合には、情報が欠落してしまうという問題がある。なぜなら、送信側と受信側とで独立に多値数を決定するからである。特許文献１に記載の変調方式においては、欠落した情報を救済するために、ターボ符号等の強力な符号化技術を用いる。しかしながら、欠落した情報を救済するためには、符号化率を所定の値以下に抑える必要がある。また、強力な符号化技術を用いた場合には、システム全体の遅延を招くという問題がある。
【０００７】
そこで、強力な符号化技術を用いることなく、伝送状況に応じて良好な誤り率特性を維持することができる、変調装置、復調装置及び変復調システム並びに変復調方法を提供することが課題となる。
【課題を解決するための手段】
【０００８】
本発明の第１の視点に係る変調装置は、ハミング距離の小さいもの同士が異なるグループに属するようにビット列をグループ分けしたときの各グループを識別する識別子を、変調すべきビット列に付加して変調することを特徴とする。
【０００９】
本発明の第２の視点に係る復調装置は、ハミング距離の小さいもの同士が異なるグループに属するようにビット列をグループ分けしたときの各グループを識別する識別子が付加されたビット列を復調して、該識別子に基づいて伝送誤りの有無を判定することを特徴とする。
【００１０】
本発明の第３の視点に係る変調方法は、ハミング距離の小さいもの同士が異なるグループに属するようにビット列をグループ分けしたときの各グループを識別する識別子を、変調すべきビット列に付加して変調する工程を含むことを特徴とする。
【００１１】
本発明の第４の視点に係る復調方法は、ハミング距離の小さいもの同士が異なるグループに属するようにビット列をグループ分けしたときの各グループを識別する識別子が付加されたビット列を復調する工程と、前記識別子に基づいて伝送誤りの有無を判定する工程と、を含むことを特徴とする。
【００１２】
第１の展開形態の変調装置は、前記識別子を伝送状況が悪化したときに付加することが好ましい。
【００１３】
第２の展開形態の変調装置は、前記伝送状況を対向局から受信した信号に基づいて推定することが好ましい。
【００１４】
第３の展開形態の変調装置は、記憶装置を備え、前記ビット列と前記識別子との対応関係を該記憶装置に保持することが好ましい。
【００１５】
第４の展開形態の変調装置は、前記識別子を付加したことを示すフラグ処理を施すことが好ましい。
【００１６】
第５の展開形態の変調装置は、前記ビット列及び前記識別子を別個にマッピングすることが好ましい。
【００１７】
第６の展開形態の復調装置は、記憶装置を備え、前記ビット列と前記識別子との対応関係を該記憶装置に保持することが好ましい。
【００１８】
第７の展開形態の復調装置は、前記ビット列及び前記識別子を別個にデマッピングすることが好ましい。
【００１９】
第８の展開形態の変復調システムは、上記の変調装置と上記の復調装置とを備えることが好ましい。
【００２０】
第９の展開形態の変調方法は、前記識別子を伝送状況が悪化したときに付加することが好ましい。
【００２１】
第１０の展開形態の変調方法は、前記伝送状況を対向局から受信した信号に基づいて推定する工程を含むことが好ましい。
【００２２】
第１１の展開形態の変調方法は、前記識別子を付加したことを示すフラグ処理を施す工程を含むことが好ましい。
【００２３】
第１２の展開形態の変調方法は、前記ビット列及び前記識別子を別個にマッピングする工程を含むことが好ましい。
【００２４】
第１３の展開形態の変調方法は、前記ビット列及び前記識別子を別個にデマッピングする工程を含むことが好ましい。
【００２５】
第１４の展開形態の変復調方法は、上記の変調方法における各工程と、上記の復調方法における各工程と、を含むことが好ましい。
【発明の効果】
【００２６】
本発明に係る変調装置、復調装置若しくは変復調システム又は変調方法、復調方法若しくは変復調方法により、強力な符号化技術を用いることなく、伝送状況に応じて良好な誤り率特性を維持することができる。なぜなら、ビット列には、ハミング距離が小さいビット列同士を区別する識別子が付加されており、復調時において、ビット列に付加された識別子に基づいて伝送誤りの訂正が可能となるからである。
【発明を実施するための最良の形態】
【００２７】
（実施形態１）
本発明の第１の実施形態に係る変復調システムについて図面を参照して説明する。図１は、本実施形態に係る変復調システムの構成を示すブロック図である。図１を参照すると、変復調システム５０は、変調装置３０及び復調装置４０を備える。
【００２８】
変調装置３０は、ハミング距離の小さいもの同士が異なるグループに属するようにビット列をグループ分けしたときの各グループを識別する識別子を、変調すべきビット列に付加して変調する。
【００２９】
変調装置３０は、識別子を伝送状況が悪化したときに付加するようにしてもよい。また、変調装置３０は、伝送状況を対向局から受信した信号に基づいて推定するようにしてもよい。さらに、変調装置３０は、記憶装置を備え、ビット列と識別子との対応関係を記憶装置に保持するようにしてもよい。
【００３０】
また、変調装置３０は、識別子を付加したことを示すフラグ処理を施すようにしてもよい。さらに、変調装置３０は、ビット列及び識別子を別個にマッピングするようにしてもよい。
【００３１】
復調装置４０は、ハミング距離の小さいもの同士が異なるグループに属するようにビット列をグループ分けしたときの各グループを識別する識別子が付加されたビット列を復調して、該識別子に基づいて伝送誤りの有無を判定する。
【００３２】
復調装置４０は、記憶装置を備え、ビット列と識別子との対応関係を記憶装置に保持するようにしてもよい。また、復調装置４０は、ビット列及び識別子を別個にデマッピングするようにしてもよい。
【００３３】
（実施形態２）
本発明の第２の実施形態に係る変復調システムについて図面を参照して説明する。図２は、本実施形態に係る変復調システム５１の構成を示すブロック図である。
【００３４】
図２を参照すると、本実施形態に係る変復調システム５１は、変調装置３１及び復調装置４１を備える。なお、図２においては、簡単のため、変調装置３１及び復調装置４１を同一の構成としている。以下では、一例として、変調装置３１において変調及び送信を行い、復調装置４１において受信及び復調を行う場合について説明する。
【００３５】
図２を参照すると、変調装置３１は、符号化部１０、マッピング回路部１１、変調部１２、無線部１３、変調多値数判定部１４、復号化部１５、デマッピング回路部１６、復調部１７及びアンテナ１８を備える。同様に、復調装置４１は、符号化部２０、マッピング回路部２１、変調部２２、無線部２３、変調多値数判定部２４、復号化部２５、デマッピング回路部２６、復調部２７及びアンテナ２８を備える。
【００３６】
変調装置３１は、データ伝送に際して、多値数を変化させることなく、冗長度を変化させる。変調多値数判定部１４は、対向局（例えば、復調装置４１）から受信した信号のエラー訂正個数や受信レベルに応じて変調方式を判定する。符号化部１０は、変調多値数判定部１４による判定に基づいて、符号化を行う。マッピング回路部１１は、変調多値数判定部１４による判定に基づいて、フラグ処理及びマッピングを行う。変調部１２は、変調多値数判定部１４による判定に基づいて、変調を行う。
【００３７】
復調装置４１における復調部２７は、フレーム内のフラグを監視して、フラグの状態により冗長度を変更する。デマッピング回路部２６は、フラグの状態に基づいてデマッピングを行う。また、復号化部２５は、フラグの状態に基づいて復号化を行う。
【００３８】
本実施形態に係る変復調システムにおいては、相手局から受信した信号に基づいて、伝搬路の状態（伝送状況）を推定することができる。変調装置３１は、伝搬路の状態が悪くなったと判断した場合には、ビット列の相対位置に対応する識別子を付加して送信する。図５（Ｄ）は、付加される識別子の一例を示す。このことは、隣接するビット列間の識別確率を上げて、ハミング距離を広げる効果を生じる。したがって、本実施形態に係る変復調システムにおいては、多値数が多い運用状態であっても、良好な誤り率を期待することができる。
【実施例１】
【００３９】
本発明の実施例に係る変復調システムについて図面を参照して説明する。図２は、本実施例に係る変復調システムの構成を示すブロック図である。本実施例においては、変調装置３１と復調装置４１との間で変復調が行われるものとする。
【００４０】
符号化部１０は、変調装置３１から送信する信号及び変調多値数判定部１４により出力された信号を受信する。符号化部１０は、変調多値数判定部１４から受信した信号に基づいて、送信信号にフラグ処理及び符号化を施して出力する。マッピング回路部１１は、符号化部１０の出力信号及び変調多値数判定部１４により出力された信号を受信する。マッピング回路部１１は、変調多値数判定部１４から受信した信号に基づいて、符号化部１０の出力信号をマッピング処理して出力する。変調部１２は、マッピング回路部１１の出力信号及び変調多値数判定部１４により出力された信号を受信し、無線で送信するのに適するように変調を施す。無線部１３は、変調部１２により出力された信号を受信し、無線周波数帯への周波数変換を行うとともに、送信出力レベルまで出力レベルを上げて、アンテナ１８を介して送信する。
【００４１】
無線部１３は、アンテナ１８を介して対向局（例えば、復調装置４１）の送信信号を受信し、信号レベルを規定された値に調整した後、中間周波数帯又はベースバンド帯に周波数変換して出力する。復調部１７は、無線部１３の出力信号を受信し、フラグの情報を参照しつつ復調を施して出力する。デマッピング回路部１６は、復調部１７の出力信号を受信し、デマッピング処理をした後に出力する。復号化部１５は、デマッピング回路部１６の出力信号を受信し、フラグの情報を参照して復号化を施して出力する。復号化部１５の出力信号は、受信信号として適宜処理される。また、復号化部１５は、復号化の際に誤り訂正が行われたビットの有無に係る情報を併せて出力する。変調多値数判定部１４は、復号化部１５の出力信号を受信し、誤り訂正があった場合には、フラグを立てて出力する。
【００４２】
本実施例に係る変調装置３１及び復調装置４１の動作について、図面を参照して説明する。ここでは、一例として、変調多値数を６４ＱＡＭに固定した場合について説明する。図３は、本実施例に係る変調装置３１の動作を示すフローチャートである。また、図４は、本実施例に係る復調装置４１の動作を示すフローチャートである。以下では、変調装置３１によって変調及び送信が行われ、復調装置４１によって受信及び復調が行われるものとする。
【００４３】
変調装置３１は、復調装置４１から受信した信号を分析することによって、伝搬路の状態（伝送状況）を推定することができる。伝送状況が良好である場合には、フレーム内の信号には長大な冗長ビットが含まれていないことから、高い伝送効率（すなわち、６４ＱＡＭそのまま）のシンボルレートが得られる。
【００４４】
伝送状況が良好である場合には、復調装置４１からの受信信号のＳ／Ｎも良好であるため、誤りは発生せず、誤り訂正も行われない。したがって、変調装置３１は、送信信号に対するビットの付加やフラグ処理を行うことなく（ステップＳ１２）、送信信号をマッピング（ステップＳ１５）及び変調して（ステップＳ１６）、送信する（ステップＳ１７）。
【００４５】
一方、復調装置４１は、受信（ステップＳ２１）した出力信号におけるフラグを確認する（ステップＳ２２）。フラグが「０」である（つまり、フラグ処理が行われていない）ものと判定した場合には（ステップＳ２２のＹｅｓ）、通常通り、６４ＱＡＭのまま復調を行う（ステップＳ２３）。復調（ステップＳ２３）の後、信号は誤り訂正処理ブロックに送られる（ステップＳ３０）。その後の信号の処理は、従来と同様である。
【００４６】
次に、伝搬路の状態（伝送状況）が悪化した場合について説明する。復調装置４１から受信した受信信号のＳ／Ｎが悪化し、一定の限度を超えた場合には、誤りが発生し、誤り訂正が行われる。変調装置３１の変調多値数判定部１４は、誤り訂正の有無を監視しており（ステップＳ１１）、誤り訂正が行われた場合には（ステップＳ１１のＹｅｓ）、シンボル位置に対応したビットを付加する命令（ないし制御信号）を、符号化部１０、マッピング回路部１１、及び、変調部１２に送信する。符号化部１０は、かかる命令（ないし制御信号）を受信した場合には、送信信号に識別子を付加し（ステップＳ１３）、付加したことを示すフラグを立てる（ステップＳ１４）。
【００４７】
ここで、符号化部１０において、情報ビットに付加される識別子について、図面を参照して説明する。図５は、本実施例における情報ビットと識別子との対応関係を説明するための図である。
【００４８】
図５は、一例として、６４ＱＡＭの場合の各シンボルに対する識別子の割り付け方を示す。図５（Ａ）は６４ＱＡＭにおけるシンボルの配置を示す位相図である。図５（Ｂ）は、第１段階における識別子とシンボルとの対応を示す図である。図５（Ｃ）は、第２段階における識別子とシンボルとの対応を示す図である。また、図５（Ｄ）は、識別子と（シンボルに割り当てられる）ビット列との対応関係を示す表である。図５（Ａ）ないし（Ｄ）に関するデータは、変調装置３１及び復調装置４１における記憶部（メモリ）（非図示）に保持されるようにしてもよい。
【００４９】
復調装置４１において、識別子「Ａ」が復調された場合には、復調装置４１のメモリ（非図示）から、識別子「Ａ」に対応するビット列（「００００１０」から「１１１１１０」の１６通り）が読み出される。
【００５０】
図５（Ｂ）及び（Ｄ）に示すように、識別子は、第１段階においては、例えば、ＡからＤの４種類としてもよい。このとき、識別子を区別するために、２ビット｛「００」、「０１」、「１０」、「１１」｝が必要とされる。したがって、伝送容量の観点からすると、６ビットに対して２ビットが付加されるため、１６ＱＡＭによって送信しているのと同等であると考えられる。
【００５１】
同様に、図５（Ｃ）に示すように、第２段階における識別子として、例えば、ＥからＨを区別する２ビットを付加するようにしてもよい。このとき、６ビットに対して、上記の２ビットと合わせて４ビットの識別子が付加されることとなるため、ＱＰＳＫによって送信しているのと同等となる。
【００５２】
図５（Ｂ）、（Ｃ）を参照すると、識別子の割り付けは、同じ種類のものが隣り合わないように配置されている。したがって、伝搬路の状況の悪化やノイズの影響によって、あるシンボルが誤って隣のシンボルとして復調されてしまう（すなわち、１ビット誤り）場合においても、上記の識別子を参照することによって、誤りを訂正することができる。
【００５３】
図５（Ａ）を参照すると、例えば、図５（Ａ）の位相図において黒丸で示されたシンボル「●」には、識別子として「Ａ」（「００」）が付加される。このとき、図５（Ｂ）の位相図における、「Ａ」のマスを中心として円で囲まれた範囲が、訂正可能な領域を示す。
【００５４】
上記の識別子は、マッピングにおいて、６４ＱＡＭの信号情報の後にＱＰＳＫと同様にして付加される。したがって、アイパターンにおいては、６４ＱＡＭの後にＱＰＳＫが繰り返し続いているように観測され、上記の識別子（２ビット）がＱＰＳＫに相当する。このとき、ＱＰＳＫと同様に２値であるため、６４ＱＡＭであっても、ＱＰＳＫに近い誤り率特性を期待することができる。しかし、このような良好な誤り率特性を期待することができるのは、例えば、Ｃ／Ｎ（Ｃａｒｒｉｅｒ  ｔｏ  Ｎｏｉｓｅ  Ｐｏｗｅｒ  Ｒａｔｉｏ）対ＢＥＲの特性上、高Ｃ／Ｎ領域においてである。
【００５５】
一方、低Ｃ／Ｎ時のように、ノイズの影響によって１つ離れ（すなわち、ハミング距離が２）の位置までシンボルが分布するような場合には、上記のような良好な誤り率特性を期待することができなくなる。このような場合には、例えば、上記の黒丸のシンボルに対して、第２段階として「Ｅ」を割り当て、さらに２ビットを付加することにより、誤り訂正能力を向上させることができる。なお、上記の通り、６４ＱＡＭの後にＱＰＳＫが続くことになるため、さらにビットを付加した場合には伝送速度は低下する。
【００５６】
図３のフローチャートに戻ると、符号化部１０によってビットを付加し（ステップＳ１３）、フラグを立てた（ステップＳ１４）後、マッピング回路部１１はマッピングを実施する（ステップＳ１５）。その後、変調部１２によって変調が行われ（ステップＳ１６）、アンテナ１８を介して送信が行われる（ステップＳ１７）。
【００５７】
一方、復調装置４１の復調部２７は、変調装置３１から受信（ステップＳ２１）した受信信号に含まれるフラグの値を確認する（ステップＳ２２）。復調部２７は、フラグの変更がないと判定した場合には（ステップＳ２２のＹｅｓ）、受信信号を６４ＱＡＭのまま復調し（ステップＳ２３）、デマッピング回路部２６は、復調されたデータのデマッピングを行う。
【００５８】
復調部２７は、フラグの変化があったと判定した場合には（ステップＳ２２のＮｏ）、６４ＱＡＭのシンボルを復調した後、識別子の復調をＱＰＳＫと同様に識別子の復調を行う（ステップＳ２４）。なお、上記の第２段階のビット付加を行った場合には、さらに、識別子の復調を行う（ステップＳ２４）。
【００５９】
次に、復調部２７は、復調したシンボル及び識別子に対応するビット列をメモリ（非図示）等から読み出して、復調した６４ＱＡＭのシンボルの値と比較する。復調したシンボルの値が上記の１６種類のビット列のいずれかに一致する場合には（ステップＳ２６のＹｅｓ）、復調部２７は、シンボルの値は誤っていないものと判定し、復調したシンボル値をそのまま出力する（ステップＳ２７）。
【００６０】
一方、復調部２７は、上記のステップＳ２５の比較において一致するものがない場合には（ステップＳ２６のＮｏ）、シンボルの値が何らかの理由で誤っているものと判定する。ステップＳ２５における比較の結果、異なるビットが１ビットである場合には（ステップＳ２８のＮｏ）、復調部２７は、対応するビット列に最も近い値に、復調したシンボルを修正する（ステップＳ２９）。また、ステップＳ２５における比較の結果、異なるビットが２ビット以上である場合には（ステップＳ２８のＹｅｓ）、復調部２７は、誤り訂正は不可能であると判定し、復調したシンボルをそのまま出力する（ステップＳ２７）。
【００６１】
なお、上記の説明において、伝搬路の状態を判断するために誤り訂正ビットを用いたが、ＢＥＲ（Ｂｉｔ  Ｅｒｒｏｒ  Ｒａｔｅ）若しくは受信レベル又はこれらの組合せとすることもできる。また、一例として、６４ＱＡＭの場合について説明したが、本発明は、６４ＱＡＭ以外の多値数に対しても、同様に適用することができる。
【００６２】
本発明によって、以下の効果がもたらされる。すなわち、本発明に係る変復調システムにおいては、瞬時の伝搬路変動に対して追従することのできる非フィードバック系の構成をとりつつ、強力な符号化技術を用いる必要がない。なぜなら、主情報のシンボルの多値数を変化させることがないため、変調時及び復調時における多値数の不一致による情報の欠落が生じないからである。
【００６３】
また、一般に、強力な誤り訂正を用いる場合には、多くの冗長度を必要とし、遅延時間も長くなる傾向がある。しかしながら、本実施例においては、誤り訂正能力はさほど必要とされず、冗長度の小さい、遅延の少ない誤り訂正を用いることができる。したがって、本発明により、伝送容量の増加、及び、システムの遅延時間の短縮を期待することができる。
【実施例２】
【００６４】
本発明の第２の実施例に係る変復調システムについて説明する。本実施例に係る変復調システムは、適応変復調システムであり、上記課題を解決するために多値数を変化させるのではなく冗長度を変化させる手段を備える。具体的には、送信側において、対向局より受信した信号のエラー訂正個数や受信レベルに応じて変調方式などを判断する手段と、前記判断に基づいて符号化を行う手段と、前記判断に基づいてフラグ処理及びマッピングを行う手段と、前記判断に基づいて変調を行う手段と、を備え、受信側において、フレーム内のフラグを監視して、該フラグの状態により冗長度を変更する手段と、前記フラグの状態によりデマッピングを行う手段と、前記フラグの状態により復号化を行う手段と、を備えることを特徴とする。
【００６５】
以上の記載は実施例に基づいて行ったが、本発明は、上記実施例に限定されるものではない。
【図面の簡単な説明】
【００６６】
【図１】本発明の第１の実施形態に係る変復調システムの構成を示すブロック図である。
【図２】本発明の第２の実施形態に係る変復調システムの構成を示すブロック図である。
【図３】本発明の第１の実施例に係る変調装置の動作を示すフローチャートである。
【図４】本発明の第１の実施例に係る復調装置の動作を示すフローチャートである。
【図５】本発明の第１の実施例に係る変調装置における情報ビットと識別子との対応関係を説明するための図である。
【符号の説明】
【００６７】
１０、２０  符号化部
１１、２１  マッピング回路部
１２、２２  変調部
１３、２３  無線部
１４、２４  変調多値数判定部
１５、２５  復号化部
１６、２６  デマッピング回路部
１７、２７  復調部
１８、２８  アンテナ
３０、３１  変調装置
４０、４１  復調装置
５０、５１  変復調システム
【図１】
2010057077.tif 000003
【図２】
2010057077.tif 000004
【図３】
2010057077.tif 000005
【図４】
2010057077.tif 000006
【図５】
2010057077.tif 000007